(57)【要約】      （修正有）【課題】柱状商品の収納、及び柱状商品の取出を簡単容易にできる商品包装体を提供する。【解決手段】商品包装体Ｘ１は、包装平板３及び包装平板３に一体形成される包装止平板５を備える包装平板本体１と、両端開口７ｂで柱状商品Ｙを収納する包装筒体を備える商品収納本体２で構成する。包装筒体７を包装平板３に旋回自在に支持する。包装筒体７は、旋回に伴って、商品抜止位置Ｐ１又は商品出入位置に配置される。商品抜止位置Ｐ１において、包装筒体７は収納した柱状商品Ｙが一端開口から抜出ることを、包装止平板５で抜止する。商品出入位置において、包装筒体７に収納した柱状商品Ｙは、両端開口７ｂの一方開口と通して包装筒体７から取出す。【選択図】図７
0003180440.tif 000002
【実用新案登録請求の範囲】
【請求項１】
［Ａ］包装平板、及び前記包装平板に一体形成され、表平面、裏平面及び前記表裏平面に交差する止端縁を有する包装止平板を備える包装平板本体と、
［Ｂ］両端開口で柱状商品を収納する包装筒体を備え、前記包装筒体の一端開口を前記包装止平板の前記止端縁に向けて、前記包装筒体を配置する商品収納本体と、
を含んで構成され、
［Ｃ］前記包装平板は、
前記包装筒体を、前記包装止平板の前記表裏平面側に旋回自在として支持し、
［Ｄ］前記包装筒体は、
前記旋回に伴って、商品抜止位置又は商品出入位置に配置され、
前記商品抜止位置において、前記一端開口を前記包装止平板の前記止端縁に対峙し、
前記商品出入位置において、前記両端開口を前記包装止平板の前記表裏平面の一平面から突出し、
［Ｅ］前記包装止平板は、
前記商品抜止位置において、前記止端縁を前記包装筒体に収納した前記柱状商品に当接自在とする
ことを特徴とする商品包装体。
【請求項２】
［Ｆ］前記商品収納本体は、
前記包装筒体の他端開口を閉塞する閉塞部材を備えてなる
ことを特徴とする請求項１に記載の商品包装体。
【請求項３】
［Ｇ］包装平板、及び前記包装平板に一体形成され、表平面、裏平面及び前記表裏平面に交差する止端縁を有する第１及び第２包装止平板を備え、前記各包装平板片の前記止端縁を間隔を隔てて対向配置する包装平板本体と、
［Ｈ］両端開口で柱状商品を収納する包装筒体を備え、前記包装筒体の前記両端開口を前記各包装止平板の前記止端縁に向けて、前記包装筒体を前記各包装止平板間に配置する商品収納本体と、
を含んで構成され、
［Ｉ］前記包装平板は、
前記包装筒体を、前記各包装止平板の前記表裏平面側に旋回自在として支持し、
［Ｊ］前記包装筒体は、
前記旋回に伴って、商品抜止位置又は商品出入位置に配置され、
前記商品抜止位置において、前記両端開口を前記各包装止平板の前記止端縁に夫々対峙し、
前記商品出入位置において、前記両端開口を前記各包装止平板の前記表裏平面の一平面から突出し、
［Ｋ］前記第１及び第２包装止平板は、
前記商品抜止位置において、前記止端縁を前記包装筒体に収納した前記柱状商品に当接自在とする
ことを特徴とする商品包装体。
【請求項４】
［Ｌ］前記包装筒体は、
熱収縮性樹脂フィルムを加熱収縮させて包装した前記柱状商品を収納し、前記熱収縮性樹脂フィルムに当接する金属シートを備え、
［Ｍ］前記柱状商品は、
前記熱収縮性樹脂フィルム及び前記金属シートを超音波溶着して、前記包装筒体に固定される
ことを特徴とする請求項１乃至３の何れかに記載の商品包装体。
【請求項５】
［Ｎ］前記包装筒体は、
商品窓を備え、
［Ｏ］前記商品窓は、
前記商品抜止位置において、前記包装止平板の前記表裏平面の一平面側に開口される
ことを特徴とする請求項１乃至５の何れかに記載の商品包装体。
【請求項６】
［Ｐ］前記包装平板本体は、
吊下用穴を備えてなる
ことを特徴とする請求項１又は３に記載の商品包装体。
【考案の詳細な説明】
【技術分野】
【０００１】
本考案は、柱状商品を収納して包装する商品包装体に関する。
【背景技術】
【０００２】
商品を収納する技術として、特許文献１は、商品吊り下げホルダーを開示する。この商品釣り下げボルダーは、柱状商品（箱型商品）を底板に載置し、商品保持板及び保持帯で柱状商品の側面、角部を保持して、柱状商品を収納（包装）する。
【０００３】
しかし、特許文献１では、柱状商品を収納（包装）する際、柱状商品を底板に載置した後に、商品吊り下げホルダーに組立てる必要がある。また、柱状商品の取出の際、商品吊り下げホルダーを展開（組立分解）する必要がある。
特許文献１では、柱状商品の収納又は取出の際、商品吊り下げホルダーの組立又は分解（展開）を必要とし、柱状商品の収納（包装）又は取出が容易でない。
【先行技術文献】
【特許文献】
【０００４】
【特許文献１】特開２００３−３８３１４号公報
【考案の概要】
【考案が解決しようとする課題】
【０００５】
本考案は、柱状商品の収納（包装）、及び柱状商品の取出を簡単容易にできる商品包装体を提供することにある。
本考案は、収納（包装）して柱状商品を展示（陳列）できる商品包装体を提供することにある。
【課題を解決するための手段】
【０００６】
本考案に係る請求項１は、包装平板、及び前記包装平板に一体形成され、表平面、裏平面及び前記表裏平面に交差する止端縁を有する包装止平板を備える包装平板本体と、両端開口で柱状商品を収納する包装筒体を備え、前記包装筒体の一端開口を前記包装止平板に向けて、前記包装筒体を配置する商品収納本体と、を含んで構成され、前記包装平板は、前記包装筒体を、前記包装止平板の前記表裏平面側に旋回自在として支持し、前記包装筒体は、前記旋回に伴って、商品抜出位置又は商品出入位置に配置され、前記商品抜止位置において、前記一端開口を前記包装止平板の前記止端縁に対峙し、前記商品出入位置において、前記両端開口を前記包装止平板の前記表裏平面の一平面から突出し、前記包装止平板は、前記商品抜止位置において、前記止端縁を前記包装筒体に収納した前記柱状商品に当接自在とすることを特徴とする商品包装体に関する。
【０００７】
本考案に係る請求項２は、前記商品収納本体は、前記包装筒体の他端開口を閉塞する閉塞部材を備えてなることを特徴とする請求項１に記載の商品包装体に関する。
【０００８】
本考案に係る請求項３は、包装平板、及び前記包装平板に一体形成され、表平面、裏平面及び前記表裏平面に交差する止端縁を有する第１及び第２包装止平板を備え、前記各包装平板片の前記止端縁を間隔を隔てて対向配置する包装平板本体と、両端開口で柱状商品を収納する包装筒体を備え、前記包装筒体の前記両端開口を前記各包装止平板の前記止端縁に向けて、前記包装筒体を前記各包装止平板間に配置する商品収納本体と、を含んで構成され、前記包装平板は、前記包装筒体を、前記各包装止平板の前記表裏平面側に旋回自在として支持し、前記包装筒体は、前記旋回に伴って、商品抜止位置又は商品出入位置に配置され、前記商品抜止位置において、前記両端開口を前記各包装止平板の前記止端縁に対峙し、前記商品出入位置において、前記両端開口を前記各包装止平板の前記表裏平面の一平面から突出し、前記第１及び第２包装止平板は、前記商品抜止位置において、前記止端縁を前記包装筒体に収納した前記柱状商品に当接自在とすることを特徴とする商品包装体に関する。
【０００９】
本考案に係る請求項４は、前記包装筒体は、熱収縮性樹脂フィルムを加熱収縮させて包装した前記柱状商品を収納し、前記熱収縮性樹脂フィルムに当接する金属シートを備え、前記柱状商品は、前記熱収縮性樹脂フィルム及び前記金属シートを超音波溶着して、前記包装筒体に固定されることを特徴とする請求項１乃至３の何れかに記載の商品包装体に関する。
【００１０】
本考案に係る請求項５は、前記包装筒体は、商品窓を備え、前記商品窓は、前記商品抜止位置において、前記包装止平板の前記表裏平面の一平面側に開口されることを特徴とする請求項１乃至４の何れかに記載の商品包装体に関する。
【００１１】
本考案に係る請求項６は、前記包装平板本体は、吊下用穴を備えてなることを特徴とする請求項１又は３に記載の商品包装体に関する。
【考案の効果】
【００１２】
本考案に係る請求項１では、商品収納本体において、包装筒体は、旋回自在として包装平板に支持される。包装筒体は、旋回に伴って、商品抜止位置又は商品出入位置に配置される。包装筒体を商品出入位置に旋回すると、包装筒体の両端開口は、包装止平板の一平面から突出される。これにより、包装筒体の両端開口は、包装止平板の止端縁で遮られることなく、開放されるので、柱状商品を両端開口の一方開口から包装筒体に収納できる。
一方、柱状商品を包装筒体に収納した後、包装筒体を商品出入位置から商品抜止位置に旋回すると、包装筒体の一端開口は、包装止平板の止端縁に対峙される。包装止平板は、商品抜止位置において、止端縁を包装筒体に収納した柱状商品に当接自在とする。これにより、包装止平板は包装筒体の一端開口から柱状商品が抜出ることがなく、柱状商品を包装筒体内に保持する。
更に、包装筒体を商品抜止位置から商品出入位置に旋回すると、柱状商品を収納した包装筒体において、包装筒体の両端開口は、包装止平板の一平面から突出され、包装止平板（止端縁）で遮られない。これにより、柱状商品は、一端開口を通して包装筒体から取出すことができる。
このように、包装筒体を商品抜止位置又は商品出入位置に旋回することで、柱状商品を包装筒体に収納でき、又は柱状商品を包装筒体から取出ことができ、簡単容易である。
【００１３】
本考案に係る請求項２では、包装筒体の他端開口を閉塞部材で閉塞するので、柱状商品は、商品出入位置において、一端開口を通して包装筒体内に収納できる。柱状商品を包装筒体に収納した後、包装筒体を商品出入位置から商品抜止位置に旋回すると、包装筒体の一端開口は、包装止平板の止端縁に対峙される。これにより、柱状商品は、商品抜止位置において、包装止平板（止端縁）及び閉塞部材で両端開口から抜出ることを阻止され、包装筒体内に保持できる。
また、包装筒体を商品抜止位置から商品出入位置に旋回すると、包装筒体の一端開口は、包装止平板（止端縁）で遮られず、開放される。これにより、柱状商品は、一端開口を通して包装筒体から取出すことができる。
【００１４】
本考案に係る請求項３では、商品収納本体において、包装筒体は、旋回自在として包装平板に支持される。包装筒体は、旋回に伴って、商品抜止位置又は商品出入位置に配置される。包装筒体を商品出入位置に旋回すると、包装筒体の両端開口は、第１及び第２包装止平板（止端縁）で遮られることなく、開放されるので、柱状商品を両端開口の一方開口を通して包装筒体に収容できる。
また、柱状商品を包装筒体に収納した後、包装筒体を商品出入位置から商品抜止位置に旋回すると、包装筒体の両端開口は、第１及び第２包装止平板の止端縁の夫々に対峙される。第１及び第２包装止平板は、商品抜止位置において、止端縁を包装筒体に収納した柱状商品に当接自在とする。これにより、第１及び第２包装止平板は包装筒体の両端開口から柱状商品が抜出ることがなく、柱状商品を包装筒体内に保持する。
一方、包装筒体を商品抜止位置から商品出入位置に旋回すると、柱状商品を収納した包装筒体において、包装筒体の両端開口は、第１及び第２包装止平板の一平面から突出され、第１及び第２包装止平板（止端縁）で遮られない。これにより、柱状商品は、両端開口の一方開口を通して包装筒体から取出すことができる。
このように、包装筒体を商品抜止位置又は商品出入位置に旋回することで、柱状商品を包装筒体に収納でき、又は柱状商品を包装筒体から取出ことができ、簡単容易である。
【００１５】
本考案に係る請求項４では、柱状商品は、熱収縮性樹脂フィルムを熱収縮して包装（種リンク包装）される。包装筒は、耐熱収縮性樹脂フィルムで包装した柱状商品を収納し、熱収縮性樹脂フィルムに当接する金属シートを備える。柱状商品は、熱収縮性樹脂フィルム及び金属シートを超音波溶着して、包装筒体に固定されるので、両端開口の夫々を通して包装筒体の両端開口から抜出ない。
また、商品出入位置において、柱状商品を包装筒体の開口側へ引張ることで溶着を解除でき、柱状商品は、包装筒体の各開口から取外すことができる。
【００１６】
本考案に係る請求項５では、包装筒体の商品窓は、商品抜止位置において、包装止平板の表裏平面の一平面側に開口されるので、包装筒体に収納した柱状商品は、商品窓を通して視認できる。
【００１７】
本考案に係る請求項６では、包装平板本体の吊下用穴に吊下用ハンガ等を挿入することで、包装筒体に収納した柱状商品を吊下げ展示（陳列）できる。
【図面の簡単な説明】
【００１８】
【図１】第１実施形態の商品包装体であって、包装筒体を商品抜止位置に配置した斜視図である。
【図２】第１実施形態の商品包装体であって、（ａ）は図１のＡ―Ａ矢視図、（ｂ）は図１のＢ−Ｂ矢視図である。
【図３】第１実施形態の商品包装体であって、包装筒体を商品出入位置に配置した斜視図である。
【図４】第１実施形態の商品包装体であって、（ａ）は図３のＣ−Ｃ矢視図、（ｂ）は図３のＤ−Ｄ矢視図である。
【図５】第１実施形態の商品包装体を形成する平板台紙の展開図である。
【図６】第１実施形態の商品包装体を形成する平板台紙であって、（ａ）は各側面平板を折返した表面図、（ｂ）は各側面平板を折返した裏面図である。
【図７】第１実施形態の商品包装体であって、（ａ）は柱状商品を包装筒体に収納して商品抜止位置に配置した斜視図、（ｂ）は図７（ａ）のＥーＥ矢視図である。
【図８】第１実施形態の商品包装体であって、（ａ）は柱状商品を包装筒体に収納して商品出入位置に配置した斜視図、（ｂ）は図８（ａ）のＦ−Ｆ矢視図である。
【図９】第２実施形態の商品包装体であって、包装筒体を商品抜止位置に配置した斜視図である。
【図１０】第２実施形態の商品包装体であって、（ａ）は図９のＧ−Ｇ矢視図、（ｂ）は図９のＨ−Ｈ矢視図、（ｃ）は図９のＩ―Ｉ矢視図である。
【図１１】第２実施形態の商品包装体であって、包装筒体を商品出入位置に配置した斜視図である。
【図１２】第２実施形態の商品包装体であって、（ａ）は図１１のＪ−Ｊ矢視図、（ｂ）は図１１のＫ−Ｋ矢視図である。
【図１３】第２実施形態の商品包装体を形成する平板台紙の展開図である。
【図１４】第２実施形態の商品包装体を形成する平板台紙であって、（ａ）は各側面平板を折返した表面図、（ｂ）は各側面平板を折返した裏面図である。
【図１５】第２実施形態の商品包装体であって、（ａ）は柱状商品を包装筒体に収納して商品抜止位置に配置した斜視図、（ｂ）は図１５（ａ）のＬーＬ矢視図である。
【図１６】第２実施形態の商品包装体であって、（ａ）は柱状商品を包装筒体に収納して商品出入位置に配置した斜視図、（ｂ）は図１６（ａ）のＭ−Ｍ矢視図である
【図１７】第３実施形態の商品包装体であって、包装筒体を商品抜止位置に配置した斜視図である。
【図１８】第３実施形態の商品包装体であって、（ａ）は図１７のＮ−Ｎ矢視図、（ｂ）は図１７のＯ−Ｏ矢視図、（ｃ）は図１７のＰ―Ｐ矢視図である。
【図１９】第３実施形態の商品包装体であって、包装筒体を商品出入位置に配置した斜視図である。
【図２０】第３実施形態の商品包装体であって、（ａ）は図１９のＱ−Ｑ矢視図、（ｂ）は図１９のＲ−Ｒ矢視図である。
【図２１】第３実施形態の商品包装体を形成する平板台紙の展開図である。
【図２２】第３実施形態の商品包装体を形成する平板台紙であって、（ａ）は各側面平板を折返した表面図、（ｂ）は各側面平板を折返した裏面図である。
【図２３】第３実施形態の商品包装体であって、（ａ）は柱状商品を包装筒体に収納して商品抜止位置に配置した斜視図、（ｂ）は図２３（ａ）のＳーＳ矢視図である。
【図２４】第３実施形態の商品包装体であって、（ａ）は柱状商品を包装筒体に収納して商品出入位置に配置した斜視図、（ｂ）は図２４（ａ）のＴ−Ｔ矢視図である。
【考案を実施するための形態】
【００１９】
第１乃至第３実施形態の商品包装体について、図１乃至図２４を参照して説明する。
【００２０】
図１乃至図２４において、第１乃至第３実施形態の商品包装体（Ｘ１），（Ｘ２），（Ｘ３）は、柱状商品（Ｙ）を収納（包装）する。
第１乃至第３実施形態の商品包装体（Ｘ１）〜（Ｘ３）は、柱状商品（Ｙ）を収納（包装）して展示（陳列）する（図９、図１５及び図２３参照）。
柱状商品（Ｙ）は、例えば、リップステック、口紅等のステック状コスメ（ステック状化粧品）である。柱状商品（Ｙ）は、熱収縮性樹脂フィルム（Ｗ：熱可塑性樹脂フィルム）で被覆され、熱収縮性樹脂フィルム（Ｗ）を加熱収縮することで包装（シュリンク包装）される（図７参照）。なお、柱状商品（Ｙ）としては、図７に示すように、四角形の柱状商品の他、円形、多角形の柱状商品等が含まれる。
【００２１】
＜第１実施形態＞
第１実施形態の商品包装体（Ｘ１：以下「商品包装体（Ｘ１）」と称する）について、図１乃至図８を参照して説明する。
【００２２】
図１乃至図４において、商品包装体（Ｘ１）は、包装平板本体（１）及び商品収納本体（２）を含んで構成される。
【００２３】
包装平板本体（１）は、図１及び図２に示すように、包装平板（３）、包装止平板（５）及び吊下用穴（６）を備える。
【００２４】
包装平板（３）は、矩形平板（長方形平板）に形成される。
包装平板（３）は、幅方向（ＨＴ）において、基端縁（３ａ）を有する。基端縁（３ａ）は、幅方向（Ｈ１）に直交する長手方向（ＮＴ）に延出する（図１参照）。
【００２５】
包装止平板（５）は、矩形平板（長方形平板）に形成される。
包装止平板（５）は、包装平板（３）の長手方向（ＮＴ）において、包装平板（３）の一端側に配置される。
包装止平板（５）は、基端縁（３ａ）で包装平板（３）に一体形成される。
包装止平板（５）は、幅方向（ＨＴ）において、包装平板（３）の基端縁（３ａ）から突出する。
【００２６】
包装平板（３）及び包装止平板（５）は、連続（隣接）して同一平面に配置される。
包装平板（５）及び包装止平板（５）は、表平面（１ａ）及び裏平面（１ｂ）を有し、表裏平面（１ａ），（１ｂ）間に板厚（Ｔ）を隔てて表裏平面（１ａ），（１ｂ）を平行配置する。
【００２７】
包装止平板（５）は、表裏平面（１ａ），（１ｂ）に交差（直交）する止縁端（５ａ）を有する。止縁端（５ａ）は、幅方向（ＨＴ）において、包装止平板（５）の幅端（５ｂ）及び包装平板（３）の基端縁（３ａ）間に配置され、基端縁（３ａ）に交差（直交）する。
【００２８】
吊下用穴（６）は、長手方向（ＮＴ）において、包装止平板（５）の一端側に配置される。吊下用穴（６）は、長手方向（ＮＴ）及び幅方向（ＨＴ）に直交する表裏方向（ＦＴ）において、包装止平板（５）を挿通（貫通）する。
【００２９】
商品収納本体（２）は、図１及び図２に示すように、包装筒体（７）及び閉塞部材（４）を備える。
【００３０】
包装筒体（７）は、熱収縮性樹脂フィルム（Ｗ）で包装した柱状商品（Ｙ）を収納（包装）する（図７参照）。
包装筒体（７）は、複数の側面平板（１０），（１１）、複数の側面端平板（１２）〜（１５）及び複数の側面内平板（１６），（１７）を有し、各側面平板（１０），（１１）及び各側面端平板（１２）〜（１５）で、両端開口（７ａ），（７ｂ）の直方筒体に構成される。
【００３１】
包装筒体（７）において、各側面平板（１０），（１１）は、連続（隣接）して形成される。
各側面端平板（１２），（１３）は、連続（隣接）して形成され、一端開口（７ａ）側に配置される。側面端平板（１２）は、側面平板（１１）に連続して形成され、側面端平板（１３）は、側面平板（１０）に連続して形成される。
各側面平板（１０），（１１）及び各側面端平板（１２），（１３）は、包装筒体（７）の一端開口（７ａ）を正方形に形成して、保持筒部（１８）を構成する。
【００３２】
包装筒体（７）において、各側面端平板（１４），（１５）は、連続（隣接）して形成され、他端開口（７ｂ）側に配置される。側面端平板（１４）は、側面平板（１１）に連続して形成され、側面端平板（１５）は、側面平板（１０）に連続して形成される。
各側面平板（１０），（１１）及び各側面端平板（１４），（１５）は、包装筒体（７）の他端開口（７ｂ）を正方形に形成して、保持筒部（１９）を構成する。
【００３３】
各側面内平板（１６），（１７）は、連続（隣接）して形成される。各側面内平板（１６），（１７）は、包装筒体（７）内に配置して、各側面平板（１０），（１１）に重ねられる（二重構造）。
【００３４】
包装筒体（７）は、図１及び図２に示すように、商品窓（２０）、長穴（２１）及び金属シート（２２）を備える。
商品窓（２０）は、各保持筒部（１８），（１９）間に形成され、包装筒体（７）内外に開口する。
長穴（２１）は、各側面内平板（１６），（１７）に形成され、各保持筒部（１８），（１９）間に延出する。
金属シート（２２）は、例えばアルミニウムシートで形成され、長穴（２１）を囲んで配置される。金属シート（２２）は、各側面内平板（１６），（１７）に接着（固定）される。
【００３５】
包装筒体（７）は、図１及び図２に示すように、一端開口（７ａ）を包装止平板（７）の止端縁（５ａ）に向けて、包装平板（３）の基端縁（３ａ）に平行配置される。
包装筒体（７）は、基端縁（３ａ）において、包装平板（３）に連結される。
【００３６】
包装平板本体（１）において、包装平板（３）は、包装筒体（７）を、包装止平板（５）の表裏平面（１ａ），（１ｂ）側に旋回自在に支持する。
これにより、包装筒体（７）は、図１乃至図４に示すように、包装止平板（５）の表裏方向（ＦＴ）に旋回する。
包装筒体（７）は、旋回に伴って、商品抜止位置（Ｐ１：図1及び図２参照）、又は商品出入位置（Ｐ２：図３及び図４参照）に配置される。
【００３７】
商品抜止位置（Ｐ１）において、包装筒体（７）は、図１及び図２に示すように、一端開口（７ａ）を包装止平板（５）の止端縁（５ａ）に対峙する。各側面平板（１０），（１１）は包装止平板（５）の裏平面（１ｂ）から突出され、各側面端平板（１２）〜（１５）は包装止平板（５）の表平面（１ａ）から突出される。
これにより、包装筒体（７）は、表裏方向（ＦＴ）において、包装止平板（５）の表裏平面（１ａ），（１ｂ）外側に渡って配置され、一端開口（７ａ）間に包装止平板（５）を位置する。
【００３８】
商品抜止位置（Ｐ１）において、包装止平板（５）は、止端縁（５ａ）を包装筒体（７）に収納した柱状商品（Ｙ）の一端に当接自在にする（図７参照）。止端縁（５ａ）は、包装筒体（７）の一端開口（７ａ）において、柱状商品（Ｙ）の一端に当接自在である。
【００３９】
商品抜止位置（Ｐ１）において、商品窓（２０）は、図１及び図２示すように、包装止平板（５）の表裏平面（１ａ），（１ｂ）の一平面、例えば表平面（１ａ）側に開口する。
【００４０】
商品出入位置（Ｐ２）において、包装筒体（７）は、図３及び図４に示すように、包装止平板（５）の表裏平板（１ａ），（１ｂ）の一平面、例えば表平面（１ａ）から突出される。各側面平板（１０），（１１）及び各側面端平板（１２）〜（１５）は、表裏方向（ＦＴ）において、包装止平板（５）の表平面（１ａ）外側に配置される。
これにより、包装筒体（７）の一端開口（７ａ）は、包装止平板（５）で遮られることなく、開放される。
【００４１】
閉塞部材（４）は、図１及び図２に示すように、例えば樹脂シートで形成され、包装筒体（７）の他端開口（７ｂ）に配置される。閉塞部材（４）は、包装筒体（７）の他端開口（７ｂ）を閉塞して、保持筒部１９に固定（接着）される。
【００４２】
図５及び図６において、商品包装体（Ｘ１）は、例えば、一枚の平板台紙（Ｚ１）を折曲げて製作する。
なお、図５及び図６において、図１乃至図４と同一符号は同一部材又は同一構成であって、その詳細な説明は省略する。
【００４３】
平板台紙（Ｚ１）は、打抜加工等で所定形状に形成される。
平板台紙（Ｚ１）は、図５に示すように、包装平板本体（１）及び突出平板本体（２５）を備え、各平板本体（１），（２５）を同一平面に平行配置して一体形成する。
【００４４】
包装平板本体（１）は、図５に示すように、包装平板（３）、包装止平板（５）及び吊下用穴（６）を備える。
【００４５】
突出平板本体（２５）は、矩形平板（長方形平板）に形成され、商品収納本体（２）の包装筒体（７）を形成する（図１及び図２参照）。
突出平板本体（２５）は、複数の側面平板（８）〜（１１）、及び側面接着平板（２６）を有する。
【００４６】
各側面平板（８）〜（１１）、及び側面接着平板（２６）は、図５に示すように、包装平板（３）の幅方向（ＨＴ）において、連続（隣接）して平行配置される。
各側面平板（８）〜（１１）は、複数の折曲直線（ａ）〜（ｃ）で区画される。各折曲直線（ａ）〜（ｃ）は、長手方向（ＮＴ）において、突出平板本体（２５）の両端間に形成される。各折曲直線（ａ）〜（ｃ）は、ミシン目（ｆ）を有し、ミシン目（ｆ）は各折曲直線（ａ）〜（ｃ）に沿って形成される。
側面平板（１１）及び側面接着平板（２６）は、旋回折曲直線（ｄ）で区画される。旋回折曲直線（ｄ）は、各折曲直線（ａ）〜（ｃ）に平行配置され、長手方向（ＮＴ）において、突出平板本体（２５）の両端間に形成される。旋回折曲直線（ｄ）は、ミシン目（ｆ）を有し、ミシン目（ｆ）は旋回折曲直線（ｄ）に沿って形成される。
各側面平板（８）〜（１１）、及び側面接着平板（２６）は、幅方向（ＨＴ）において、同一幅（ｈ）を有して形成される。
【００４７】
突出平板本体（２５）は、図５に示すように、長手方向（ＮＴ）において、各側面平板（８），（９）の一端（８ａ），（９ｂ）を包装止平板（５）の止端縁（５ａ）に対峙する。突出平板本体（１）は、側面平板（８）を包装平板（３）の基端縁（３ａ）に連続（隣接）して一体形成する。
これにより、突出平板本体（２５）及び包装平板本体（１）は一体化され、平板台紙（Ｚ１）を構成する。
【００４８】
突出平板本体（２５）において、側面平板（８）は、図５に示すように、旋回折曲直線（ｅ）で包装平板（３）から区画する。旋回折曲直線（ｅ）は、各折曲直線（ａ）〜（ｄ）に平行配置される。旋回折曲直線（ｅ）は、長手方向（ＮＴ）において、包装平板（３）の一端及び止端縁（５ａ）間に形成され、止端縁（５ａ）に交差（直交）する。
旋回折曲直線（ｅ）は、ミシン目（ｆ）を有し、ミシン目（ｆ）は旋回折曲線（ｅ）に沿って形成される。
【００４９】
各側面平板（８），（９）は、図５に示すように、複数の切込線（α），（β）を有する。
切込線（α）は、長手方向（ＮＴ）において、各側面平板（８），（９）の一端（８ａ），（９ａ）側に配置される。切込線（α）は、幅方向（ＨＴ）において、折曲直線（ｂ）及び旋回折曲直線（ｅ）間に形成される。
切込線（β）は、長手方向（ＮＴ）において、各側面平板（８），（９）の他端（８ｂ），（９ｂ）側に配置される。切込線（β）は、幅方向（ＴＨ）において、折曲直線（ｂ）及び旋回折曲直線（ｅ）間に形成される。
各切込線（α），（β）は、図５に示すように、各側面平板（８），（９）を、各側端平板（１２）〜（１５）、及び各側面内平板（１６），（１７）に区画する。
各側端平板（１２），（１３）は、各側面平板（８），（９）の一端（８ａ），（９ａ）側に形成される。各側面端平板（１４），（１５）は、各側面平板（８），（９）の他端（８ｂ），（９ｂ）側に形成される。各側面内平板（１６），（１７）は、各側面端平板（１２），（１３）及び（１４），（１５）間に形成される。
側面平板（８）において、各側面端平板（１２），（１４）及び側面内平板（１６）は、包装平板（３）に連続（隣接）する。
側面平板（９）において、各側面端平板（１３），（１５）及び側面内平板（１７）は、側面平板（１０）に連続（隣接）する。
【００５０】
各側面平板（８），（９）は、図５に示すように、長穴（２１）及び金属シート（２２）を備える。
長穴（２１）は、各側面内平板（１６），（１７）に形成される。長穴（２１）は、長手方向（ＮＴ）において、折曲直線（ａ）に沿って配置される。
金属シート（２２）は、長穴（２１）を囲んで配置され、各側面内平板（１６），（１７）に接着（固定）される。
【００５１】
図５及び図６において、平板台紙（Ｚ１）は、折曲げられて、商品包装体［Ｘ１：包装筒体（７）］を形成する。
平板台紙（Ｚ１）の折曲直線（ｂ）を基準に、突出平板本体（２５）を折曲げる。各側面平板（１０），（１１）及び側面接着平板（２６）は、包装平板（３）の裏平面（１ｂ）に折返す。
これにより、側面平板（１０）は側面平板（９）に重ねられ、側面平板（１１）は側面平板（８）に重ねられる。側面接着平板（２５）は包装平板（３）に重ねられる（図６参照）。また、折曲直線（ｃ）は折曲直線（ａ）に重ねられ、旋回折曲直線（ｄ）は旋回折曲直線（ｅ）に重ねられる（図６参照）。
側面接着平板（２６）は、図６に示すように、包装平板（３）の裏平面（１ｂ）に接着（固定）する。
【００５２】
続いて、各折曲直線（ｂ）（ｃ）及び旋回折曲直線（ｄ）を基準に、各側面平板（１０），（１１）を折曲げる。各側面平板（１０），（１１）は、図１及び図２に示すように、表裏方向（ＦＴ）において、包装止平板（５）の裏平面（１ｂ）から突出して折曲げる。
【００５３】
また、各折曲直線（ａ），（ｂ）及び旋回折曲直線（ｅ）を基準に、各側面端平板（１２），（１３）及び各側面端平板（１４），（１５）を折曲げる。各側面端平板（１２），（１３）及び側面端平板（１４），（１５）は、図１及び図２に示すように、切込線（α），（β）によって各側面内平板（１６），（１７）から切離して、表裏方向（ＦＴ）において、包装止平板（５）の表平面（１ａ）から突出して折曲げる。
各側面端平板（１２），（１３）及び各側面平板（１０），（１１）は、包装筒体（７）の一端開口（７ａ：長方形開口）を形成して、保持筒部（１８）を構成する。各側面端平板（１４），（１５）及び各側面平板（１０），（１１）は、包装筒体（７）の他端開口（７ｂ）を形成して、保持筒部（１９）を構成する。
これにより、折曲げた各側面平板（１０），（１１）及び各側面端平板（１２）〜（１５）は、図１及び図２に示すように、両端開口（７ａ），（７ｂ）で直方筒体の包装筒体（７）を形成する。
【００５４】
更に、各折曲直線（ａ），（ｂ）及び旋回折曲直線（ｅ）を基準に、各側面内平板（１６），（１７）を折曲げる。各側面内平板（１６），（１７）は、図１及び図２に示すように、表裏方向（ＦＴ）において、包装止平板（５）の裏平面（１ｂ）から突出して折曲げる。
これにより、各側面内平板（１６），（１７）は、包装筒体（７）内に配置されて、各側面平板（１０），（１１）に重ねられる（二重構造）。
商品窓（２０）は、各保持筒部（１８），（１９）間に形成され、包装止平板（５）の表平面（１ａ）側に開口する。また、長穴（２１）及び金属シート（２２）は、図１及び図２に示すように、包装筒体（７）内に配置される。
【００５５】
平板台紙（Ｚ１）を折曲げて、商品包装体［Ｘ１：包装筒体（７）］を形成すると、包装筒体（７）は、図１及び図２に示すように、商品抜止位置（Ｐ１）に配置される。
包装平板（３）は、旋回折曲直線（ｄ），（ｅ）を旋回中心軸として、包装筒体（７）を旋回自在に支持する。
これにより、包装筒体（７）は、図１乃至図４に示すように、旋回折曲直線（ｄ），（ｅ）の折曲げで、表裏方向（ＮＴ）に旋回する。包装筒体（７）は、旋回に伴って、商品抜止位置（Ｐ１：図１及び図２参照）、又は商品出入位置（Ｐ２：図３及び図４参照）に配置される。
【００５６】
次に、商品包装体（Ｘ１）に柱状商品（Ｙ）を収納し、又は取出す手順について、図１、図７及び図８を参照して説明する。
【００５７】
図１及び図７において、包装筒体（７）は、平板台紙（Ｚ１）の折曲完了時（初期段階）、商品抜止位置（Ｐ１）に配置される。商品抜止位置（Ｐ１）において、包装筒体（７）の他端開口（７ｂ）は開放される。
【００５８】
商品抜止位置（Ｐ１）において、熱収縮性樹脂フィルム（Ｗ）で包装した柱状商品（Ｙ：以下「柱状商品（Ｙ）」と称する）は、図７に示すように、包装筒体（７）の他端開口（７ｂ）側に配置する。
続いて、柱状商品（Ｙ）は、一端を他端開口（７ｂ）に通して包装筒体（７）内に収納（包装）する。
柱状商品（Ｙ）を包装筒体（７）に収納すると、熱収縮性樹脂フィルム（Ｗ）は、図７に示すように、金属シート（２２）に当接する。
これにより、柱状商品（Ｙ）の両端側は、図７に示すように、各保持筒部（１８），（１９）で保持される。また、柱状商品（Ｙ）は、商品窓（２０）を通して包装筒体（７）外に露出される。
【００５９】
更に、柱状商品（Ｙ）を包装筒体（７）に収納すると、熱収縮性樹脂フィルム（Ｗ）及び金属シート（２２）を超音波溶着する。
超音波溶着は、包装筒体（７）外側から超音波を金属シート（２２）に照射して、熱収縮性樹脂フィルム（Ｗ）及び金属シート（２２）を摩擦熱で溶着する。
これにより、柱状商品（Ｙ）は、図７に示すように、包装筒体（７）に固定される。
【００６０】
続いて、閉塞部材（４）を保持筒部（１９）に接着（固定）して、包装筒体（７）の他端開口（７ｂ）を閉塞する（図７参照）。
【００６１】
商品抜止位置（Ｐ１）において、包装止平板（５）は、図７に示すように、止端縁（５ａ）を包装筒体（７）に収納した柱状商品（Ｙ）の一端に当接自在にする。
商品抜止位置（Ｐ１）において、柱状商品（Ｙ）は、包装止平板（５）及び閉塞部材（４）に当接自在であるので、両端開口（７ａ），（７ｂ）を通して包装筒体（７）から抜出ない。
【００６２】
商品抜止位置（Ｐ１）において、柱状商品（Ｙ）を収納した商品包装体（Ｘ１）は、図７に示すように、例えば店舗の吊下ハンガ（２７）に吊下げられ、柱状商品（Ｙ）を展示（陳列）する。商品包装体（Ｘ１）は、吊下ハンガ（２７）を吊下用穴（６）に挿通することで、柱状商品（Ｙ）を長手方向（ＮＴ）に縦向配置して吊下げる。
このとき、商品窓（１４）は、図７に示すように、包装止平板（５）の表平面（１ａ）側に開口するので、商品購入者（消費者）は商品窓（１４）を通して視認できる。
【００６３】
一方、柱状商品（Ｙ）を収納した後、包装筒体（７）は、図７及び図８に示すように、旋回折曲直線（ｄ），（ｅ）で旋回して、商品抜止位置（Ｐ１）から商品出入位置（Ｐ２）に配置する。
包装筒体（７）を商品出入位置（Ｐ２）に配置すると、包装筒体（７）の一端開口（７ａ）は、図８に示すように、表裏方向（ＦＴ）において、包装止平板（５）の表平面（１ａ）から突出される。
これにより、包装筒体（７）の一端開口（７ａ）は、図８に示すように、包装止平板（５）で遮られることなく、開放される。
【００６４】
続いて、商品購入者は、図８に示すように、商品窓（２０）から柱状商品（Ｙ）を包装筒体（７）の一端（７ａ）側に引張る（押上げる）。
商品購買者の引張（押上げ）に伴って、柱状商品（Ｙ）の熱収縮性樹脂フィルム（Ｗ）は、破れる等して金属シート（２２）の溶着を解除する。
これにより、柱状周品（Ｙ）は、図８に示すように、一端開口（７ａ）を通して包装筒体（７）から取出せる。
また、商品出入位置（Ｐ２）において、柱状商品（Ｙ）は、一端開口（７ａ）を通して包装筒体（７）に収納（包装）できる。
【００６５】
＜第２実施形態＞
第２実施形態の商品包装体（Ｘ２：以下「商品包装体（Ｘ２）」と称する）について、図９乃至図１６を参照して説明する。
なお、図９乃至図１６において、図１乃至図８と同一符号は同一部材又は同一構成であるので、その詳細な説明は省略する。
【００６６】
図９及び図１０において、商品包装体（Ｘ２）は、商品包装体（Ｘ１）と同様、包装平板本体（１）及び商品収納本体（２）を含んで構成される。
商品包装体（Ｘ２）において、包装平板本体（１）は、第１及び第２包装止平板（３５），（３６）を備え、この点で商品包装体（Ｘ１）と相違する。
【００６７】
包装平板本体（１）は、図９及び図１０に示すように、包装平板（３）、第１及び第２包装止平板（３５），（３６）及び吊下用穴（６）を備える。
【００６８】
第１及び第２包装止平板（３５），（３６）は、矩形平板（長方形平板）に形成される。第１及び第２包装止平板（３５），（３６）は、包装平板（３）の長手方向（ＮＴ）において、包装平板（３）の両端側に夫々配置される。
第１及び第２包装止平板（３５），（３６）は、基端縁（３ａ）で包装平板（３）に一体形成される。
第１及び第２包装止平板（３５），（３６）は、包装平板（３）の幅方向（ＨＴ）において、包装平板（３）の基端縁（３ａ）から突出する。
【００６９】
包装平板（３）、及び各包装止平板（３５），（３６）は、連続（隣接）して同一平面に配置される。
包装平板（３）、及び各包装止平板（３５），（３６）は、表平面（１ａ）及び裏平面（１ｂ）を有し、表裏平面（１ａ），（１ｂ）間に板厚（Ｔ）を隔てて表裏平面（１ａ），（１ｂ）を平行配置する。
【００７０】
第１及び第２包装止平板（３５），（３６）は、表裏平面（１ａ），（ｂ）に交差（直交）する止端縁（３５ａ），（３６ａ）を有する。
各止端縁（３５ａ），（３６ａ）は、図９及び図１０に示すように、包装平板（３）の長手方向（ＮＴ）において、間隔（Ｋ）を隔てて対向配置する。各止端縁（３５ａ），（３６ａ）は、包装平板（３）の幅方向（ＨＴ）において、各包装止平板（３５），（３６）の幅端縁（３５ｄ），（３６ｄ）及び包装平板（３）の基端縁（３ａ）間に配置され、基端縁（３ａ）に交差（直交）する。
【００７１】
商品収納本体（２）において、包装筒体（７）は、図９及び図１０に示すように、両端開口（７ａ），（７ｂ）を各包装止平板（３５），（３６）の止端縁（３５ａ），（３６ａ）に向けて、各包装止平板（３５），（３６）間に配置される。
包装筒体（７）は、包装平板（３）の基端縁（３ａ）に平行配置され、基端縁（３ａ）において、包装平板（３）に連結される。
【００７２】
包装平板本体（１）において、包装平板（３）は、包装筒体（７）を、各包装止平板（３５），（３６）の表裏平面（１ａ），（１ｂ）側に旋回自在に支持する。
これにより、包装筒体（７）は、図９乃至図１２に示すように、各包装止平板（３５），（３６）の表裏方向（ＦＴ）に旋回する。
包装筒体（７）は、旋回に伴って、商品抜止位置（Ｐ２：図９及び図１０参照）、又は商品出入位置（Ｐ２：図１１及び図１２参照）に配置される。
【００７３】
商品抜止位置（Ｐ１）において、包装筒体（７）は、図９及び図１０に示すように、両端開口（７ａ），（７ｂ）の夫々を各包装止平板（３５），（３６）の止端縁（３５ａ），（３５ｂ）に対峙する。
【００７４】
商品抜止位置（Ｐ１）において、第１及び第２包装止平板（３５），（３６）は、図９及び図１０に示すように、止端縁（３５ａ），（３６ａ）を包装筒体（７）に収納した柱状商品（Ｙ）の両端に当接自在にする（図１５参照）。止端縁（３５ａ），（３６ａ）は、包装筒体（７）の両端開口（７ａ），（７ｂ）において、柱状商品（Ｙ）の両端に夫々当接自在である。
【００７５】
商品抜止位置（Ｐ１）において、商品窓（２０）は、図９及び図１０に示すように、各包装止平板（５）の表裏平面（１ａ），（１ｂ）の一平面、例えば表平面（１ａ）に開口する。
【００７６】
商品出入位置（Ｐ２）において、包装筒体（７）は、図１１及び図１２に示すように、各包括止平板（３５），（３６）の表裏平面（１ａ），（１ｂ）の一平面、例えば表平面（１ａ）から突出される。
これにより、包装筒体（７）の両端開口（７ａ），（７ｂ）は、第１及び第２包装止平板（３５），（３６）で遮られることなく、開放される。
【００７７】
図１３及び図１４において、商品包装体（Ｘ２）は、例えば、一枚の平板台紙（Ｚ２）を折曲げて製作する。
平板台紙（Ｚ２）は、打抜加工等で所定形状に形成される。
平板台紙（Ｚ２）は、平板台紙（Ｚ１：図７参照）と同様、包装平板本体（１）及び突出平板本体（２５）を備える。
平板台紙（Ｚ２）において、包装平板本体（１）は、第１及び第２包装止平板（３５），（３６）を備え、この点で平板台紙（Ｚ１）と相違する。平板台紙（Ｚ２）において、第１及び第２包装止平板（３５），（３６）は、図１３に示すように、長手方向（ＮＴ）において、包装平板（２）の両端に配置され、基端縁（３ａ）で包装平板（３）に一体形成される。各包装止平板（３５），（３６）の止端縁（３５ａ），（３６ａ）は、包装平板（３）の長手方向において、間隔（Ｋ）を隔てて対向配置される。
【００７８】
突出平板本体（２５）は、図１３に示すように、各側面平板（８），（９）の両端（８ａ），（９ａ），（８ｂ），（９ｂ）を各包装止平板（３５），（３６）の止端縁（３５ａ），（３５ｂ）に対峙して、各包装止平板（３５），（３６）間に配置される。突出平板本体（２５）は、側面平板（８）を包装平板（３）の基端縁（３ａ）に連続（隣接）して一体形成する。
【００７９】
図１３及び図１４において、平板台紙（Ｚ２）は、折曲げられて、商品包装体［Ｘ２：包装筒体（７）］を形成する。
平板台紙（Ｚ２）は、平板台紙（Ｚ１）と同様、各折曲直線（ａ）〜（ｃ）及び各旋回折曲直線（ｄ），（ｅ）を基準に、各側面平板（１０），（１１）、各側面端平板（１２）〜（１５）及び各側面内平板（１６），（１７）を折返し、折曲げて、両端開口（７ａ），（７ｂ）で直方筒体の包装筒体（７）を形成する。
【００８０】
平板台紙（Ｚ２）を折曲げて、商品包装体［Ｘ２：包装筒体（７）］を形成すると、包装筒体（７）は、図９及び図１０に示すように、商品抜止位置（Ｐ１）に配置される。
包装平板板（３）は、旋回折曲直線（ｄ），（ｅ）を旋回中心軸として、包装筒体（７）を旋回自在に支持する。
これにより、包装筒体（７）は、図９乃至図１２に示すように、旋回折曲直線（ｄ），（ｅ）の折曲げで、表裏方向（ＮＴ）に旋回する。包装筒体（７）は、旋回に伴って、商品抜止位置（Ｐ１：図９及び図１０参照）、又は商品出入位置（Ｐ２：図１１及び図１２参照）に配置される。
【００８１】
次に、商品包装体（Ｘ２）に柱状商品（Ｙ）を収納し、又は取出す手順について、図９、図１５及び図１６を参照して説明する。
【００８２】
図９において、商品包装体（Ｘ２）は、平板台紙（Ｚ２）の折曲完了時（初期段階）、商品抜止位置（Ｐ１）に配置される。包装筒体（７）は、図１５及び図１６に示すように、旋回折曲直線（ｄ），（ｅ）で旋回して、商品抜出位置（Ｐ１）から商品出入位置（Ｐ２）に配置する。
商品出入位置（Ｐ２）に配置すると、包装筒体（７）の両端開口（７ａ），（７ｂ）は、図１６に示すように、表裏方向（ＦＴ）において、各包装止平板（３５），（３６）の表平面（１ａ）から突出される。
これにより、包装筒体（７）の両端開口（７ａ），（７ｂ）は、図１６に示すように、第１及び第２包装止平板（３５），（３６）で遮られることなく、開放される。
【００８３】
商品出入位置（Ｐ２）において、柱状商品（Ｙ）は、図１６に示すように、包装筒体（７）の両端開口（７ａ），（７ｂ）の一方開口、例えば一端開口（７ａ）側に配置する。
続いて、柱状商品（Ｙ）は、一端を一端開口（７ａ）に通して包装筒体（７）内に収納（包装）する。
これにより、柱状商品（Ｙ）の両端側は、図１６に示すように、各保持筒部（１８），（１９）で保持される。また、柱状商品（Ｙ）は、商品窓（２０）を通して包装筒体（７）外に露出される。柱状商品（Ｙ）の熱収縮性樹脂フィルム（Ｗ）は、金属シート（２２）に当接する。
【００８４】
柱状商品（Ｙ）を収納すると、包装筒体（７）は、図１５及び図１６に示すように、各旋回折曲線（ｄ），（ｅ）で旋回して、商品出入位置（Ｐ１）から商品抜止位置（Ｐ２）に配置する。
商品抜止位置（Ｐ１）において、第１及び第２包装止平板（３５），（３６）は、図１５に示すように、止端縁（３５ａ），（３６ａ）を包装筒体（７）に収納した柱状商品（Ｙ）の両端に夫々当接自在にする。
商品抜止位置（Ｐ１）において、柱状商品（Ｙ）は、第１及び第２包装止平板（３５），（３６）に当接自在であるので、両端開口（７ａ），（７ｂ）を通して包装筒体（７）から抜出ない。
【００８５】
続いて、商品抜止位置（Ｐ１）において、熱収縮性樹脂フィルム（Ｗ）及び金属シート（２２）を超音波溶着する。これにより、柱状商品（Ｙ）は、包装筒体（７）に固定される。
なお、超音波溶着は、商品出入位置（Ｐ２）において、柱状商品（Ｙ）を包装筒体（７）に収納（包装）した後に実行しても良い。
【００８６】
商品抜止位置（Ｐ１）において、柱状商品（Ｙ）を収納した商品包装体（Ｘ２）は、図１５に示すように、例えば店舗の吊下ハンガ（２７）に吊下げられ、柱状商品（Ｙ）を展示（陳列）する。商品包装体（Ｘ２）は、吊下ハンガ（２７）を吊下用穴（６）に挿通することで、柱状商品（Ｙ）を長手方向（ＮＴ）に縦向配置して吊下げる。
このとき、商品窓（２０）は、図１５に示すように、各包装止平板（３５），（３６）の表平面（１ａ）側に開口するので、商品購入者（消費者）は商品窓（２０）を通して柱状商品（Ｙ）を視認できる。
【００８７】
一方、柱状商品（Ｙ）を収納した後、包装筒体（７）は、図１５及び図１６に示すように、各旋回折曲直線（ｄ），（ｅ）で旋回して、商品抜止位置（Ｐ１）から商品出入位置（Ｐ２）に配置する。
商品出入位置（Ｐ２）において、包装筒体（７）の両端開口（７ａ），（７ｂ）は、図１６に示すように、第１及び第２包装止平板（３５），（３６）で遮られることなく、開放される。
これにより、商品購入者は、図１６に示すように、商品窓（２０）から柱状商品（Ｙ）を包装筒体（７）の一方開口側に引張る（押上げ又は押下げ）ことで、柱状商品（Ｙ）を包装筒体（７）から取出すことができる。
【００８８】
＜第３実施形態＞
第３実施形態の商品包装体（Ｘ３：以下「商品包装体（Ｘ３）」と称する）について、図１７乃至図２４を参照して説明する。
なお、図１７乃至図２４において、図１乃至図１６と同一符号は同一部材又は同一構成であるので、その詳細な説明は省略する。
【００８９】
図１７及び図１８において、商品包装体（Ｘ３）は、商品包装体（Ｘ１），（Ｘ２）と同様、包装平板本体（１）及び商品収納本体（２）を含んで構成される。
商品包装体（Ｘ３）は、商品包装体（Ｘ１），（Ｘ２）に対し、吊下用穴（６）の配置を相違させている。
商品包装体（Ｘ３）は、商品包装体（Ｘ２）に対し、第１及び第２包装止平板（３５），（３６）を同一幅（Ｈ）に形成している。
【００９０】
包装平板本体（１）において、吊下用穴（６）は、図１７及び図１８に示すように、包装平板（３）の長手方向（Ｎ）において、包装平板（３）の中央に配置される。吊下用穴（６）は、表裏方向（ＦＴ）において、包装平板（３）を挿通（貫通）している。
【００９１】
商品収納本体（２）において、第１及び第２包装止平板（３５），（３６）は、図１７及び図１８に示すように、包装平板（３）の長手方向（ＮＴ）に同一幅（Ｈ）を有している。第１包装止平板（３５）は、長手方向（ＮＴ）において、包装平板（３）の一端（３ｂ）から幅（Ｋ）を有して、第２包装止平板（３５）側に突出される。第２包装止平板（３６）は、長手方向（ＮＴ）において、包装平板（３）の他端（３ｃ）から幅（Ｈ）を有して、第１包装止平板（３５）側に突出される。
各包装止平板（３５），（３５）において、止端縁（３５ａ），（３６ａ）は、図１７及び図１８に示すように、間隔（Ｋ）を隔てて対向配置される。
【００９２】
商品収納本体（２）において、包装筒体（７）は、図１７及び図１８に示すように、両端開口（７ａ），（７ｂ）を各包装止平板（３５），（３６）の止端縁（３５ａ），（３６ａ）に向けて、第１及び第２包装止平板（３５），（３６）に配置される。包装筒体（７）は、包装平板（３）の基端縁（３ａ）に平行配置され、基端縁（３ａ）で包装平板（３）に連結される。
【００９３】
包装平板（３）は、包装筒体（７）を、各包装止平板（３５），（３６）の表裏平面（１ａ），（１ｂ）側に旋回自在に支持する。
これにより、包装筒体（７）は、各包装止平板（３５），（３６）の表裏方向（ＦＴ）において、旋回する。
包装筒体（７）は、旋回に伴って、商品抜止位置（Ｐ１：図１７及び図１８参照）、又は商品出入位置（Ｐ２：図１９及び図２０参照）に配置される。
【００９４】
図２１及び図２２において、商品包装体（Ｘ３）は、例えば、一枚の平板台紙（Ｚ３）を折曲げて製作する。
平板台紙（Ｚ３）は、平板台紙（Ｚ２）と同様、包装平板本体（１）及び突出平板本体（２５）を備える。
平板台紙（Ｚ３）において、包装平板本体（１）は、平板台紙（Ｚ２）に対し、吊下用穴（６）の配置を相違させている。平板台紙（Ｚ３）において、吊下用穴（６）は、図２１に示すように、長手方向（ＮＴ）において、包装平板（３）の中央に配置される。
また、平板台紙（Ｚ３）は、平板台紙（Ｚ２）に対し、第１及び第２包装止平板（３５），（３６）を同一幅（Ｈ）にする。平板台紙（Ｚ３）において、第１及び第２包装止平板（３５），（３６）は、図２１に示すように、長手方向（ＮＴ）において、包装平板（３）の両端（３ｂ），（３ｃ）から同一幅（Ｈ）を有している。各包装止平板（３５），（３６）の止端縁（３５ａ），（３６ａ）は、図２１に示すように、長手方向（ＮＴ）において、間隔（Ｋ）を隔てて対向配置される。平板台紙（Ｚ３）において、突出平板本体（２５）は、平板台紙（Ｚ２）と同様、各包装止平板（３５），（３６）間に配置して、包装平板（３）に一体形成される。
【００９５】
図２１及び図２２において、平板台紙（Ｚ３）は、折曲げられて、商品包装体［Ｘ３：包装筒体（７）］を形成する。
平板台紙（Ｚ３）は、平板台紙（Ｚ１），（Ｚ２）と同様、各折曲直線（ａ）〜（ｃ）及び各旋回折曲直線（ｄ），（ｅ）を基準に、各側面平板（１０），（１１）、各側面端平板（１２）〜（１５）及び各側面内平板（１６），（１７）を折返し、折曲げて、両端開口（７ａ），（７ｂ）で直筒方体の包装筒体（７）を形成する。
【００９６】
平板台紙（Ｚ３）を折曲げて、商品包装体［Ｘ３：包装筒体（７）］を形成すると、包装筒体（７）は、図１７及び図１８に示すように、商品抜止位置（Ｐ１）に配置される。
包装平板（３９は、旋回折曲直線（ｄ），（ｅ）を旋回中心軸として、包装筒体（７）を旋回自在に支持する。
これにより、包装筒体（７）は、図１７乃至図２０に示すように、旋回折曲直線（ｄ），（ｅ）の折曲げで、表裏方向（ＮＴ）に旋回する。包装筒体（７）は、旋回に伴って、商品抜止位置（Ｐ１：図１７及び図１８参照）、又は商品出入位置（Ｐ２：図１９及び図２０参照）に配置される。
【００９７】
商品包装体（Ｘ３）に柱状商品（Ｙ）を収納し、又は取出す手順は、商品包装体（Ｘ２）と同様である。
図１７において、包装筒体（７）は、平板台紙（Ｚ３）の折曲完了時（初期段階）、商品抜止位置（Ｐ１）に配置される。包装筒体（７）を各旋回折曲直線（ｄ），（ｅ）で旋回して、商品抜止位置（Ｐ１：図１７及び図１８参照）から商品出入位置（Ｐ２：図２０及び図２１参照）に配置する。
これにより、柱状商品（Ｙ）は、図２４に示すように、包装筒体（７）の両端開口（７ａ），（７ｂ）の一方開口を通して包装筒体（７）に収納できる。
一方、柱状商品を収納した後、包装筒体（７）を各旋回折曲直線（ｄ），（ｅ）で旋回して、図２３及び図２４に示すように、商品出入位置（Ｐ２）から商品抜止位置（Ｐ１）に配置する。
これにより、第１及び第２包装止平板（３５），（３６）は、図２３に示すように、止端縁（３５ａ），（３６ａ）を包装筒体（７）に収納した柱状商品（Ｙ）に当接自在にする。商品抜止位置（Ｐ１）において、柱状商品（Ｙ）は、第１及び第２包装止平板（３５），（３６）に当接自在であるので、両端開口（７ａ），（７ｂ）を通して包装筒体（７）から抜出ない。
【００９８】
商品抜止位置（Ｐ１）において、柱状商品（Ｙ）を収納した商品包装体（Ｘ３）は、図２３に示すように、例えば店舗の吊下ハンガ（２７）に吊下げられ、柱状商品（Ｙ）を展示（陳列）する。
商品包装体（Ｘ３）は、吊下ハンガ（２７）を吊下用穴（６）に挿通することで、柱状商品（Ｙ）を長手方向（ＮＴ）に横向配置して吊下げる。
このとき、商品窓（２）は、図２３に示すように、各包装止平板（３５），（３６）の表平面（１ａ）側に開口するので、商品購入者（消費者）は商品窓（２０）を通して柱状商品（Ｙ）を視認できる。
【００９９】
第１乃至第３実施形態の商品包装体（Ｘ１）〜（Ｘ３）において、平板台紙（Ｚ１）〜（Ｚ３）に換えて、例えば樹脂シートを折曲げることで、各商品包装体（Ｘ１）〜（Ｘ３）を製作できる。樹脂シートは、各平板台紙（Ｚ１）〜（Ｚ３）と同一形状に形成する。
【０１００】
第１乃至第３実施形態の商品包装体（Ｘ１）〜（Ｘ３）では、包装筒体（７）を直方筒体に構成するが、これに限定されない。包装筒体（７）は、円筒体、多角形筒体等に構成（形成）できる。
【０１０１】
第1乃至第３実施形態の商品包装体（Ｘ１）〜（Ｘ３）では、柱状商品（Ｙ）の熱収縮性樹脂フィルム（Ｗ）及び金属シート（２２）を超音波溶着して、柱状商品（Ｙ）を包装筒体（７）に固定したが、これに限定されない。柱状商品（Ｙ）は、超音波溶着することなく、包装筒体（７）に収納でき、これにより、金属シート（２２）を包装筒体（７）に備える必要がなくなる。
【０１０２】
第１乃至第３実施形態の商品包装体（Ｘ１）〜（Ｘ３）において、包装平板本体（１）及び商品収納本体［２：包装筒体（７）］は、平板台紙（Ｚ１）〜（Ｚ３）で一体形成するが、これに限定されない。例えば、包装平板本体（１）及び包装筒体（７）を別々に形成して、包装平板（３）に包装筒体（７）を旋回自在に連結する。
【産業上の利用可能性】
【０１０３】
本考案は、柱状商品を収納（包装）するのに好適である。
【符号の説明】
【０１０４】
Ｘ１  商品包装体
Ｙ  柱状商品
１  包装平板本体
２  商品収納本体
３  包装平板
５  包装止平板
１ａ  表平面
１ｂ  裏平面
５ａ  止端縁
７  包装筒体
７ａ  一端開口
７ｂ  他端開口
Ｐ１  商品抜止位置
Ｐ２  商品出入位置
【図１】
0003180440.tif 000003
【図２】
0003180440.tif 000004
【図３】
0003180440.tif 000005
【図４】
0003180440.tif 000006
【図５】
0003180440.tif 000007
【図６】
0003180440.tif 000008
【図７】
0003180440.tif 000009
【図８】
0003180440.tif 000010
【図９】
0003180440.tif 000011
【図１０】
0003180440.tif 000012
【図１１】
0003180440.tif 000013
【図１２】
0003180440.tif 000014
【図１３】
0003180440.tif 000015
【図１４】
0003180440.tif 000016
【図１５】
0003180440.tif 000017
【図１６】
0003180440.tif 000018
【図１７】
0003180440.tif 000019
【図１８】
0003180440.tif 000020
【図１９】
0003180440.tif 000021
【図２０】
0003180440.tif 000022
【図２１】
0003180440.tif 000023
【図２２】
0003180440.tif 000024
【図２３】
0003180440.tif 000025
【図２４】
0003180440.tif 000026